(57)【特許請求の範囲】
【請求項１】
装着時に装着者の腹側に配される腹側部、背側に配される背側部、前記腹側部及び前記背側部の間に配される股下部を有し、前記腹側部から股下部を介して背側部に亘る方向の縦方向とこれに直交する横方向とを備え、外装体と、該外装体の内側に固定された、吸収体を含む吸収性本体とを具備し、該外装体における前記腹側部及び前記背側部に位置するそれぞれの両側縁部が接合されて、ウエスト開口部及び一対のレッグ開口部が形成されたパンツ型吸収性物品であって、
前記吸収体は、中央吸収部と、該中央吸収部の両側縁部に沿って対称的に配された一対のサイド吸収部とを有し、前記中央吸収部と一対の前記サイド吸収部それぞれとは、少なくとも前記股下部において分離しており、
前記中央吸収部は、縦方向の前記背側部側の端部に、前記股下部に向かって凸状に切り欠かれた背側切欠部を有しており、
前記外装体における前記腹側部及び前記背側部それぞれに、横方向に伸長した複数本の弾性部材を有し、前記外装体と前記吸収体とが重なる領域においては、伸縮性がないか又は該重なる領域の横方向外側よりも伸縮性が弱いパンツ型吸収性物品。
【請求項２】
前記中央吸収部は、前記背側部側の両角部それぞれが円弧状に形成されている請求項１に記載のパンツ型吸収性物品。
【請求項３】
前記中央吸収部と一対の前記サイド吸収部それぞれとは、前記背側部側から前記腹側部側に亘って分離している請求項１又は２に記載のパンツ型吸収性物品。
【請求項４】
前記中央吸収部は、縦方向の前記腹側部側の端部に、前記股下部に向かって凸状に切り欠かれた腹側切欠部を有し、且つ前記腹側部側の両角部それぞれが円弧状に形成されている請求項１〜３の何れかに記載のパンツ型吸収性物品。
【請求項５】
前記吸収性本体は、縦方向の前記背側部側及び前記腹側部側の端部それぞれにおいて、横方向の全面に亘って前記外装体と固定されている請求項１〜４の何れかに記載のパンツ型吸収性物品。
【発明の詳細な説明】
【技術分野】
【０００１】
本発明は、使い捨ておむつ等のパンツ型吸収性物品に関する。
【背景技術】
【０００２】
従来のパンツ型吸収性物品として、着用者の排泄部や臀部の凹凸への密着性を高めるために、着用時に吸収体が隆起するパンツ型使い捨ておむつが知られている。
【０００３】
例えば、特許文献１には、吸収性物品の具備する吸収体が、下層吸収体及び複数の上層吸収体とからなり、該下層吸収体が、易変形性の可撓部分を有し、該可撓部分に前記上層吸収体が跨るように配されており、前記下層吸収体が、股下部に対応する位置に最狭部を有し、該最狭部の両側部に略長手方向に沿う複数の弾性伸縮部材を備えた吸収性物品が記載されている。
【０００４】
また、例えば、特許文献２には、パンツ型使い捨ておむつの具備する外装体が、後身頃に、一方側縁接合部から股下側に迂回して他方側縁接合部に到達する複数本の湾曲した弾性伸縮部材を備え、パンツ型使い捨ておむつの具備する吸収体が、後身頃側の端部に略Ｖ字状に欠損した欠損部分を備えたパンツ型使い捨ておむつが記載されている。
【先行技術文献】
【特許文献】
【０００５】
【特許文献１】特開２００７−１６７５０５号公報
【特許文献２】特表２００８−２５３２８９号公報
【発明の概要】
【発明が解決しようとする課題】
【０００６】
しかしながら、特許文献１に記載の吸収性物品及び特許文献２に記載のパンツ型使い捨ておむつは、ともに、着用時に吸収体が身体側（肌当接面側）に隆起するように形成されたものであり、着用時に吸収体が非肌当接面側に隆起してポケットを形成するようになされたものではなく、着用者の排泄部からの排泄物の漏れを効果的に防止することが難しい。
【０００７】
したがって、本発明の課題は、前述した従来技術が有する欠点を解消し得るパンツ型吸収性物品を提供することにある。
【課題を解決するための手段】
【０００８】
本発明は、装着時に装着者の腹側に配される腹側部、背側に配される背側部、前記腹側部及び前記背側部の間に配される股下部を有し、前記腹側部から股下部を介して背側部に亘る方向の縦方向とこれに直交する横方向とを備え、外装体と、該外装体の内側に固定された、吸収体を含む吸収性本体とを具備し、該外装体における前記腹側部及び前記背側部に位置するそれぞれの両側縁部が接合されて、ウエスト開口部及び一対のレッグ開口部が形成されたパンツ型吸収性物品であって、前記吸収体は、中央吸収部と、該中央吸収部の両側縁部に沿って対称的に配された一対のサイド吸収部とを有し、前記中央吸収部と一対の前記サイド吸収部それぞれとは、少なくとも前記股下部において分離しており、前記中央吸収部は、縦方向の前記背側部側の端部に、前記股下部に向かって凸状に切り欠かれた背側切欠部を有しており、前記外装体における前記腹側部及び前記背側部それぞれに、横方向に伸長した複数本の弾性部材を有し、前記外装体と前記吸収体とが重なる領域においては、伸縮性がないか又は該重なる領域の横方向外側よりも伸縮性が弱いパンツ型吸収性物品を提供するものである。
【発明の効果】
【０００９】
本発明のパンツ型吸収性物品によれば、着用時に吸収体が非肌当接面側に隆起してポケットを形成し易くなされており、着用者の排泄部への密着性を高め、排泄物の漏れを効果的に防止することができる。
【図面の簡単な説明】
【００１０】
【図１】図１は、本発明の一実施形態であるパンツ型使い捨ておむつの斜視図である。
【図２】図２は、図１に示すパンツ型使い捨ておむつを伸長させて拡げた状態を表面シート側から見た平面図である。
【図３】図３は、図２に示すパンツ型使い捨ておむつの具備する吸収体と弾性部材を有する外装体との位置関係を説明する要部拡大平面図である。
【図４】図４（ａ）は、本発明の他の実施形態のパンツ型使い捨ておむつの備える吸収体の平面図であり、図４（ｂ）は、本発明の更に他の実施形態のパンツ型使い捨ておむつの備える吸収体の平面図である。
【発明を実施するための形態】
【００１１】
以下、本発明のパンツ型吸収性物品を、その好ましい実施形態に基づき、図１〜図３を参照しながら説明する。
【００１２】
本実施形態のパンツ型使い捨ておむつ１（以下、「おむつ１」ともいう。）は、図１，図２に示すように、外装体２と、外装体２の内側に固定された吸収体３１を含む吸収性本体３とを具備している。おむつ１は、図１，図２に示すように、装着時に装着者の腹側に配される腹側部Ａ、装着時に装着者の背側に配される背側部Ｂ、腹側部Ａ及び背側部Ｂの間に配される股下部Ｃを有し、外装体２における腹側部Ａに位置する両側縁部２ｄ，２ｄと外装体２における背側部Ｂに位置する両側縁部２ｅ，２ｅとが接合されて、ウエスト開口部ＷＯ及び一対のレッグ開口部ＬＯ，ＬＯが形成されている。以下、おむつ１について、詳述する。
【００１３】
おむつ１は、図１〜図３に示すように、中心線ＣＬに対して左右対称に形成されている。従って以下の説明では、左右対称な部分については、主に、右側について説明する。
また、本明細書において、「肌当接面側」とは、吸収性本体３などの各部材の表裏両面のうち、着用時に着用者の肌側に配される面側であり、「非肌当接面側」とは、吸収性本体などの各部材の表裏両面のうち、着用時に着用者の肌側とは反対側に向けられる面側である。
【００１４】
おむつ１は、図１〜図３に示すように、腹側部Ａから股下部Ｃを介して背側部Ｂに亘る方向の縦方向（以下「Ｙ方向」ともいう。Ｙ方向：中心線ＣＬに平行な方向をいう。）と、縦方向（Ｙ方向）に直交する横方向（以下「Ｘ方向」ともいう。）とを備えている。おむつ１の備える外装体２は、図１に示すように、おむつ１の外観を構成しており、図２に示すように、伸長状態において、おむつ１の縦方向（Ｙ方向）に、腹側部Ａ、股下部Ｃ、背側部Ｂを有している。腹側部Ａ、背側部Ｂ及び股下部Ｃは、図２に示す展開状態のおむつ１において、その縦方向（Ｙ方向）の全長を略３等分に区分したときの各領域である。
【００１５】
外装体２は、図２に示すように、縦方向（Ｙ方向）中央部の両側部において内方に括れている。本実施形態のおむつ１においては、外装体２の腹側部Ａ側の両側縁部２ｄ，２ｄの内面と外装体２の背側部Ｂ側の両側縁部２ｅ，２ｅの内面同士を互いに重ね合わせ、合掌状に固定することにより、図１に示すように、一対のサイドシール部５，５が形成されるとともに、ウエスト開口部ＷＯ及び一対のレッグ開口部ＬＯ，ＬＯが形成されている。
【００１６】
おむつ１は、図２に示すように、外装体２における腹側部Ａ及び背側部Ｂそれぞれに、横方向（Ｘ方向）に伸長した複数本の弾性部材４を有している。詳述すると、本実施形態のおむつ１の有する弾性部材４は、複数本のウエスト弾性部材４１、複数本の胴回り弾性部材４２及び複数本のレッグ弾性部材４３からなる。外装体２は、本実施形態においては、図２に示すように、非肌当接面側にパンツ型使い捨ておむつ１の最外表面となる外層シート２１と、外層シート２１の内面側（肌当接面側）に配され、ホットメルト等の接着剤やヒートシール等の融着により固定される内層シート２２とから形成されている。本実施形態の外層シート２１は、内層シート２２の縦方向（Ｙ方向）の両外方縁よりそれぞれ延出しており、延出した部分が吸収性本体３側に折り返され、折り返された外層シート２１が、吸収性本体３の縦方向（Ｙ方向）の両外方縁部上を被覆している。外装体２を構成する外層シート２１及び内層シート２２の間に、図１，図２に示すように、弾性部材４であるウエスト弾性部材４１、胴回り弾性部材４２及びレッグ弾性部材４３が配されていることにより、おむつ１の外装体２には、ウエスト弾性領域（ウエストギャザー）、胴回り弾性領域（胴回りギャザー）及び環状の一対のレッグ弾性領域（レッグギャザー）が形成されている。
【００１７】
ウエスト弾性領域（ウエストギャザー）は、図１，図２に示すように、腹側部Ａ及び背側部Ｂそれぞれにおいて、横方向（Ｘ方向）に伸長した状態で、複数本のウエスト弾性部材４１を、ウエスト開口部ＷＯの開口縁から股下部Ｃに向かって４０ｍｍまでの領域に間欠的に配し、外装体２の外層シート２１又は内層シート２２に固定することにより形成されている。胴回り弾性領域（胴回りギャザー）も同様に、図１，図２に示すように、腹側部Ａ及び背側部Ｂそれぞれにおいて、横方向（Ｘ方向）に伸長した状態で、複数本の胴回り弾性部材４２を、ウエスト弾性部材４１より股下部Ｃ寄り（内方側）に間欠的に配し、外装体２の外層シート２１又は内層シート２２に固定することにより形成されている。レッグ弾性領域（レッグギャザー）は、図１，図２に示すように、腹側部Ａ及び背側部Ｂそれぞれにおいて、外装体２の括れに沿って伸長した状態で、複数本のレッグ弾性部材４３を、互いに間隔を空けて配し、外装体２の外層シート２１又は内層シート２２に固定することにより形成されている。
【００１８】
本発明のおむつ１では、外装体２と吸収体３１が重なる領域では伸縮性がないか、胴回りの横方向において、前記重なる領域より外側の領域よりも伸縮性が弱い。このために、有効な非肌面側への隆起が達成できる。ここで、「胴回りの横方向において、前記重なる領域より外側の領域よりも伸縮性が弱い」とは、胴回り領域を自然状態（弛緩状態）から横方向に引張ったときの最大伸長率（｛［最大伸長時長さ−弛緩状態長さ］／弛緩状態長さ｝×１００）が、重なる領域でその外側の領域よりも小さいことを意味する。本実施形態では、おむつ１の有する弾性部材４は、外装体２と吸収体３１とが重なる領域においては伸縮性を発現する状態で配されていない。ここで、「伸縮性を発現する状態で配されていない」とは、弾性部材４が前記重なる領域に配されていない形態を意味するのみならず、前記重なる領域に配されていたとしても、各弾性部材４が細かく分断されていたり過剰の熱を付与されていたりして、もはや伸縮性を失ってしまった状態で配されている場合も含む意味である。具体的には、本実施形態のおむつ１においては、複数本の胴回り弾性部材４２の内、外装体２と吸収体３１とが重なる領域に位置する腹側部Ａ側の胴回り弾性部材４２は、吸収性本体３の有する吸収体３１の両側縁それぞれと一対のサイドシール部５それぞれとの間においては横方向（Ｘ方向）に伸長した状態で配されているが、該重なる領域においては、各胴回り弾性部材４２が細かく分断され伸縮性を失ってしまった状態で配されている。背側部Ｂ側の胴回り弾性部材４２についても、腹側部Ａ側の胴回り弾性部材４２と同様に、外装体２と吸収体３１とが重なる領域においては、各胴回り弾性部材４２が細かく分断され伸縮性を失ってしまった状態で配されている。
【００１９】
また、少なくとも背側部Ｂにおいては、吸収性本体３の縦方向（Ｙ方向）外方縁と吸収体３１の縦方向（Ｙ方向）外方縁との間隔Ｌ（図２参照）の５０％以上の領域に、弾性部材４（本実施形態においては胴回り弾性部材４２）が配されていないことが柔軟な非肌面側への突出形状が形成され易くなるので好ましく、間隔Ｌの領域には、弾性部材４（本実施形態においては胴回り弾性部材４２）が配されていないことが更に好ましい。言い換えれば、本実施形態のおむつ１においては、複数本の胴回り弾性部材４２が、間隔Ｌの５０％以上の領域を除いて、該領域より縦方向（Ｙ方向）外方の領域及び内方の領域に、間欠的に配されていることが好ましい。
【００２０】
また、後述するように、吸収体３１を構成する中央吸収体３１１が、背側切欠部３１３のみならず腹側切欠部３１４も有する場合には、腹側部Ａにおいても、背側部Ｂと同様に、吸収性本体３の縦方向（Ｙ方向）外方縁と吸収体３１の縦方向（Ｙ方向）外方縁との間隔Ｌ（図２参照）の５０％以上の領域に、弾性部材４（本実施形態においては胴回り弾性部材４２）が配されていないことが好ましく、間隔Ｌの領域には、弾性部材４（本実施形態においては胴回り弾性部材４２）が配されていないことが更に好ましい。
【００２１】
外装体２の内側に固定された吸収性本体３は、図２に示すように、実質的に縦長の長方形状であり、液透過性の表面シート３２、液不透過性（撥水性も含む）の裏面シート３３、両シート３２，３３間に介在する吸収体３１を備えている。また、吸収性本体３は、図２に示すように、吸収性本体３の縦方向（Ｙ方向）の両側部３ｄ，３ｄに、液抵抗性又は撥水性で且つ通気性の素材から構成された側方カフス３４，３４を備えている。各側方カフス３４の自由端部近傍には、図２に示すように、立体ギャザー形成用弾性部材３５が縦方向（Ｙ方向）に伸長した状態で配されている。側方カフス３４は、おむつの着用時に自由端部側が起立し、所謂立体ギャザーとなり横方向（Ｘ方向）への体液の流出が阻止される。
【００２２】
吸収性本体３の備える吸収体３１は、図２，図３に示すように、中央吸収部としての中央吸収体３１１と、中央吸収体３１１の両側縁部３１１ｄ，３１１ｄに沿って対称的に配された一対のサイド吸収部としてのサイド吸収体３１２，３１２とを有し、中央吸収体３１１と一対のサイド吸収体３１２，３１２それぞれとは、少なくとも股下部Ｃにおいて分離している。中央吸収体３１１は、図２，図３に示すように、縦方向（Ｙ方向）の背側部Ｂ側の端部３１１ｂに、股下部Ｃに向かって凸状に切り欠かれた背側切欠部３１３を有している。吸収体３１は、図２，図３に示すように、中央吸収体３１１と、一対のサイド吸収体３１２，３１２と、ティッシュペーパーや透水性の不織布からなる透水性の被覆シート（図示せず）とを有し、中央吸収体３１１及び一対のサイド吸収体３１２，３１２の全体が、透水性の被覆シート（図示せず）で被覆されて形成されている。
【００２３】
中央吸収体３１１は、図２に示すように、吸収性本体３の縦方向（Ｙ方向）両外方縁それぞれから間隔Ｌ（図２参照）を空けて、吸収性本体３の縦方向（Ｙ方向）に、腹側部Ａから背側部Ｂに亘って配されている。各間隔Ｌは、１〜３００ｍｍであることが好ましく、１０〜２６０ｍｍであることが好適な非肌面側への隆起形状を形成しやすくなるので更に好ましい。中央吸収体３１１は、図２に示すように、背側部Ｂ側の端部３１１ｂに背側切欠部３１３を有しており、本実施形態においては、図３に示すように、背側部側の両角部３１１ｅ，３１１ｅそれぞれが円弧状に形成されている。
【００２４】
背側切欠部３１３は、本実施形態においては、図２，図３に示すように、中央吸収体３１１の背側部Ｂ側の端部３１１ｂの横方向（Ｘ方向）中央部を、股下部Ｃに向かって三角形状に切り欠いて形成されている。従って、中央吸収体３１１は、本実施形態においては、図２，図３に示すように、背側部Ｂ側において、Ｙ字状に形成されている。切り欠かれた部分の面積は、５００〜３１００ｍｍ2であることが好ましく、１０００〜２６００ｍｍ2であることが更に好ましい。尚、背側切欠部３１３の形状は、三角形状でなくても、このような面積を有するように切り欠かれていれば半円形状、半楕円形状、四角形状、多角形状等であってもよい。
【００２５】
上述したように、中央吸収体３１１は、本実施形態においては、図３に示すように、背側部Ｂ側の両角部３１１ｅ，３１１ｅそれぞれが横方向（Ｘ方向）外方に向かって円弧状に形成されている。こうすることで、非肌面側への隆起が生じ易くなるとともに、着用者肌への当たり方が柔らかくなるので、好ましい。各角部３１１ｅの曲率半径は、３〜２０ｍｍであることが好ましく、５〜１５ｍｍであることが更に好ましい。
【００２６】
また、本実施形態においては、中央吸収体３１１は、図２に示すように、縦方向（Ｙ方向）の腹側部Ａ側の端部３１１ａにも、股下部Ｃに向かって凸状に切り欠かれた腹側切欠部３１４を有している。また、本実施形態においては、図２に示すように、中央吸収体３１１の腹側部Ａ側の両角部も、円弧状に形成されている。背側部Ｂにおいて円弧状にしたのと同様の観点から好ましい。
【００２７】
腹側切欠部３１４は、本実施形態においては、図２に示すように、背側切欠部３１３と同様に、中央吸収体３１１の腹側部Ａ側の端部３１１ａの横方向（Ｘ方向）中央部を、股下部Ｃに向かって三角形状に切り欠いて形成されている。従って、中央吸収体３１１は、本実施形態においては、図２に示すように、腹側部Ａ側においても、Ｙ字状に形成されている。切り欠かれた部分の面積は、５００〜３１００ｍｍ2であることが好ましく、１０００〜２２００ｍｍ2であることが更に好ましい。防漏性の観点から、腹側部分の吸収材は多いほうが良く、特に男性の座位姿勢の場合は、前モレ頻度が高いため、腹側切欠部３１４の面積の方が背側切欠部３１３の面積より小さいことが好ましい。
尚、腹側切欠部３１４の形状は、背側切欠部３１３と同様に、三角形状でなくても、このような面積を有するように切り欠かれていれば半円形状、半楕円形状、四角形状、多角形状等であってもよい。
【００２８】
上述したように、中央吸収体３１１は、本実施形態においては、図２に示すように、腹側部Ａ側の両角部も、背側部Ｂ側の角部３１１ｅと同様に、それぞれが横方向（Ｘ方向）外方に向かって円弧状に形成されており、各角部の曲率半径は、３〜２０ｍｍであることが好ましく、５〜１５ｍｍであることが更に好ましい。
【００２９】
一対のサイド吸収体３１２，３１２それぞれは、中央吸収体３１１と少なくとも股下部Ｃにおいて分離していればよいが、本実施形態においては、図２に示すように、中央吸収体と、背側部Ｂ側から腹側部Ａ側に亘って分離している。詳述すると、各サイド吸収体３１２は、股下部Ｃのみならず、その縦方向（Ｙ方向）の背側部Ｂ側の端部３１２ｂにおいても、腹側部Ａ側の端部３１２ａにおいても中央吸収体３１１と連設されておらず、中央吸収体３１１と独立して配されている。
【００３０】
各サイド吸収体３１２の縦方向（Ｙ方向）の長さは、中央吸収体３１１の縦方向（Ｙ方向）の長さの２０％〜９５％好ましくは６０％〜８０％であることが好ましい。尚、各サイド吸収体３１２及び中央吸収体３１１の縦方向（Ｙ方向）の長さは、縦方向（Ｙ方向）に最も長い位置での長さである。
また、各サイド吸収体３１２と中央吸収体３１１とは、５〜４０ｍｍの間隔を空けて配されていることが好ましく、１０〜３０ｍｍの間隔を空けて配されていることが防漏性の観点から更に好ましい。尚、各サイド吸収体３１２と中央吸収体３１１との間隔は、最も狭い位置での長さである。
【００３１】
吸収性本体３は、中央吸収体３１１及び一対のサイド吸収体３１２，３１２を被覆シート（図示せず）で被覆して形成される吸収体３１を挟持するように、表面シート３２と裏面シート３３とがホットメルト等の接着手段等により固定されて形成されており、一対のサイド吸収体３１２，３１２と中央吸収体３１１との分離している部分や、背側切欠部３１３においては、被覆シート（図示せず）を介して表面シート３２及び裏面シート３３が固定されて形成されている。尚、本実施形態においては、中央吸収体３１１が腹側切欠部３１４も有しているため、腹側切欠部３１４においても、被覆シート（図示せず）を介して表面シート３２及び裏面シート３３が固定されて形成されている。
【００３２】
吸収性本体３は、外装体２の内側に固定されており、本実施形態においては、縦方向（Ｙ方向）の背側部Ｂ側の端部３ｂ及び腹側部Ａ側の端部３ａそれぞれにおいて、横方向（Ｘ方向）の全面に亘って外装体２と固定されている。詳述すると、吸収性本体３は、外装体２の横方向（Ｘ方向）中央部において、中心線ＣＬに沿って、吸収性本体３の裏面シート３３の非肌当接面及び外装体２の内層シート２２の肌当接面が、ホットメルト等の接着手段等により固定されている。また、縦方向（Ｙ方向）の背側部Ｂ側の端部３ｂ及び腹側部Ａ側の端部３ａそれぞれにおいては、横方向（Ｘ方向）の全面に亘って、吸収性本体３の裏面シート３３の非肌当接面及び外装体２の内層シート２２の肌当接面が、ホットメルト等の接着手段等により固定されている。従って、Ｉ字状に塗布されたホットメルト等の接着手段等により、吸収性本体３は外装体２の内側に固定されている。
【００３３】
吸収性本体３の背側部Ｂ側の端部３ｂにおいて、横方向（Ｘ方向）の全面に亘って外装体２と固定されている吸収性本体３の縦方向（Ｙ方向）の領域は、吸収性本体３の縦方向（Ｙ方向）外方縁から中央吸収体３１１の背側切欠部３１３の頂部（股下部Ｃ側の頂部）までの領域であることが好ましい。また、本実施形態のように、中央吸収体３１１が腹側切欠部３１４も有する場合には、吸収性本体３の腹側部Ａ側の端部３ａにおいても、横方向（Ｘ方向）の全面に亘って外装体２と固定されている吸収性本体３の縦方向（Ｙ方向）の領域は、吸収性本体３の縦方向（Ｙ方向）外方縁から中央吸収体３１１の腹側切欠部３１４の頂部（股下部Ｃ側の頂部）までの領域であることが好ましい。
【００３４】
本実施形態のパンツ型使い捨ておむつ１の形成材料について説明する。
外装体２を構成する外層シート２１と内層シート２２としては、通常、使い捨ておむつ等の吸収性物品に用いられるものであれば、特に制限なく用いることができる。例えば、外層シート２１及び内層シート２２としては、撥水性の不織布等を用いることができる。
【００３５】
吸収性本体３を構成する表面シート３２、裏面シート３３、吸収体３１及び側方カフス３４を形成するシートとしては、それぞれ、通常、使い捨ておむつ等の吸収性物品に用いられるものであれば、特に制限なく用いることができる。例えば、表面シート３２としては、親水性且つ液透過性の不織布等を用いることができ、裏面シート３３としては、液不透過性又は撥水性の樹脂フィルムや樹脂フィルムと不織布の積層体等を用いることができる。側方カフス３４を形成するシートとしては、伸縮性のフィルム、不織布、織物またはそれらの積層シート等を用いることができる。吸収体３１の有する中央吸収体３１１及び一対のサイド吸収体３１２，３１２としては、吸収性ポリマーの粒子及び繊維材料から構成された吸収コア等を用いることができる。
【００３６】
ウエスト弾性領域（ウエストギャザー）を形成するウエスト弾性部材４１、胴回り弾性領域（胴回りギャザー）を形成する胴回り弾性部材４２、レッグ弾性領域（レッグギャザー）を形成するレッグ弾性部材４３、及び側方カフス３４に配される立体ギャザー形成用弾性部材３５としては、それぞれ、通常、使い捨ておむつ等の吸収性物品に用いられるものであれば、特に制限なく用いることができ、例えば、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる。
【００３７】
サイドシール部５の接合には、通常、使い捨ておむつ等の吸収性物品に用いられる接着剤や、ヒートエンボス、超音波エンボス、高周波エンボス等の融着手段が用いられる。吸収性本体３と外装体２との固定や、表面シート３２、裏面シート３３、側方カフス３５の固定も同様に、通常、使い捨ておむつ等の吸収性物品に用いられるホットメルト等の接着剤やヒートエンボス、超音波エンボス、高周波エンボス等の融着手段が用いられる。
【００３８】
上述した本発明の実施形態であるパンツ型使い捨ておむつ１（以下、「おむつ１」ともいう。）を使用した際の作用効果について説明する。
本実施形態のおむつ１は、図２，図３に示すように、吸収体３１が、中央吸収体３１１と、一対のサイド吸収体３１２，３１２とを有し、中央吸収体３１１が、縦方向（Ｙ方向）の背側部Ｂ側の端部３１１ｂに背側切欠部３１３を有している。ここで、上述したように、吸収性本体３よりも外方の外装体２においては、外層シート２１と内層シート２２とが、複数本の弾性部材４を挟んで、ホットメルト等の接着剤やヒートシール等の融着により固定されている。また、上述したように、吸収性本体３の背側部Ｂにおいては、吸収性本体３の縦方向（Ｙ方向）の外方縁から吸収体３１の有する中央吸収体３１１の背側切欠部３１３までの領域で、被覆シート（図示せず）を介して表面シート３２及び裏面シート３３がホットメルト等の接着手段等により固定され、更に外層シート２１と内層シート２２とがホットメルト等の接着剤やヒートシール等の融着により固定されている。従って、背側部Ｂにおいては、吸収性本体３の外方縁から背側切欠部３１３までの領域の方が、部材数が多いため、吸収性本体３よりも外方の外装体２の領域よりも剛性が高くなる。また、背側切欠部３１３を有する中央吸収体３１１の縦方向（Ｙ方向）の外方縁から股下部Ｃに向かう領域では、吸収体３１（中央吸収体３１１，一対のサイド吸収体３１２）を有するため、該領域の方が、吸収性本体３の外方縁から背側切欠部３１３までの領域よりも剛性が高くなる。また、本実施形態のおむつ１においては、図２，図３に示すように、外装体２が、腹側部Ａ及び背側部Ｂそれぞれに、横方向（Ｘ方向）に伸長した複数本の弾性部材４を有し、弾性部材４が、吸収性本体３の有する吸収体３１の両側縁それぞれと一対のサイドシール部５それぞれとの間においては横方向（Ｘ方向）に伸長した状態で配されているが、外装体２と吸収体３１とが重なる領域においては伸縮性を発現する状態で配されていない。従って、図１に示すように、本実施形態のおむつ１は、装着前の状態の背側部Ｂにおいて、複数本の弾性部材４が収縮すると、吸収性本体３よりも外方の外装体２の領域よりも剛性の高い、吸収性本体３の外方縁から背側切欠部３１３までの領域が非肌当接面側に隆起してポケットを形成し易い。また、背側切欠部３１３を有する中央吸収体３１１の外方縁から股下部Ｃに向かう領域は、中央吸収体３１１と一対のサイド吸収体３１２，３１２それぞれとが、少なくとも股下部Ｃにおいて分離しているので、着用時に吸収体３１（特に中央吸収体３１１）が非肌当接面側に隆起してポケットを形成し易い。従って、着用時に、着用者の排泄部への密着性を高め、排泄物の漏れを効果的に防止することができる。
【００３９】
また、本実施形態のおむつ１は、図２，図３に示すように、吸収体３１の有する中央吸収体３１１における背側部Ｂ側の両角部３１１ｅ，３１１ｅそれぞれが、横方向（Ｘ方向）外方に向かって円弧状に形成されている。従って、吸収性本体３の外方縁から背側切欠部３１３までの領域が、両角部３１１ｅ，３１１ｅそれぞれの円弧状に沿って、非肌当接面側に隆起し易く、更にポケットを形成し易い。
【００４０】
また、本実施形態のおむつ１は、図２に示すように、一対のサイド吸収体３１２，３１２は、股下部Ｃのみならず、その縦方向（Ｙ方向）の背側部Ｂ側の端部３１２ｂにおいても、腹側部Ａ側の端部３１２ａにおいても中央吸収体３１１と連設されておらず、中央吸収体３１１と独立して配されている。従って、着用時に、中央吸収体３１１が非肌当接面側に隆起し易く、更にポケットを形成し易い。
【００４１】
また、本実施形態のおむつ１は、図２に示すように、中央吸収体３１１が腹側部Ａ側の端部にも腹側切欠部３１４を有し、また、中央吸収体３１１の腹側部Ａ側の両角部も、円弧状に形成されている。従って、本実施形態のおむつ１は、装着前の状態の腹側部Ａにおいても、複数本の弾性部材４の収縮により、吸収性本体３の外方縁から腹側切欠部３１４までの領域も非肌当接面側に隆起してポケットを形成し易い。従って、着用時に、背側部Ｂ及び腹側部Ａ側それぞれにおいて、着用者の排泄部への密着性を高め、排泄物の漏れを効果的に防止することができる。
【００４２】
また、本実施形態のおむつ１は、図２に示すように、吸収性本体３が、縦方向（Ｙ方向）の背側部Ｂ側の端部３ｂ及び腹側部Ａ側の端部３ａそれぞれにおいて、横方向（Ｘ方向）の全面に亘って外装体２と固定されている。従って、本実施形態のおむつ１は、吸収性本体３の外方縁から背側切欠部３１３までの領域が非肌当接面側に隆起し易く、更にポケットを形成し易い。特に、本実施形態のおむつ１は、図２に示すように、複数本の胴回り弾性部材４２が、間隔Ｌ（図２参照）の５０％以上の領域を除いて、該領域より縦方向（Ｙ方向）外方の領域及び内方の領域に間欠的に配されているので、吸収性本体３の外方縁から背側切欠部３１３までの領域が非肌当接面側に隆起し易く、更にポケットを形成し易い。
【００４３】
本発明のパンツ型吸収性物品であるパンツ型使い捨ておむつは、上述の実施形態のパンツ型使い捨ておむつに何ら制限されるものではなく、適宜変更可能である。
【００４４】
例えば、上述の実施形態のパンツ型使い捨ておむつ１においては、図２に示すように、各サイド吸収体３１２は、中央吸収体と、背側部Ｂ側から腹側部Ａ側に亘って分離しており、股下部Ｃのみならず、その縦方向（Ｙ方向）の背側部Ｂ側の端部３１２ｂにおいても、腹側部Ａ側の端部３１２ａにおいても中央吸収体３１１と連設されておらず、中央吸収体３１１と独立して配されているが、背側部Ｂ側の端部３１２ｂ及び腹側部Ａ側の端部３１２ａのいずれか一方が中央吸収体３１１と連設されていてもよく、背側部Ｂ側の端部３１２ｂ及び腹側部Ａ側の端部３１２ａのいずれも中央吸収体３１１と連設されていてもよい。例えば、図４（ａ）に示す吸収体３１における各サイド吸収体３１２は、背側部Ｂ側の端部３１２ｂが中央吸収体３１１と連設されており、腹側部Ａ側の端部３１２ａが中央吸収体３１１と連設されておらず、開放されている。また、図４（ｂ）に示す吸収体３１における各サイド吸収体３１２は、背側部Ｂ側の端部３１２ｂが中央吸収体３１１と連設されており、腹側部Ａ側の端部３１２ａも中央吸収体３１１と連設されている。
【００４５】
また、パンツ型吸収性物品は、幼児又は成人用のパンツ型使い捨ておむつの他、パンツ型の生理用ナプキン等であってもよい。
【符号の説明】
【００４６】
１  パンツ型使い捨ておむつ
２  外装体
２ｄ  腹側部Ａ側の側縁部
２ｅ  背側部Ｂ側の側縁部
２１  外層シート
２２  内層シート
３  吸収性本体
３ｄ  縦方向（Ｙ方向）の側部
３１  吸収体
３１１  中央吸収体
３１１ａ  腹側部Ａ側の端部
３１１ｂ  背側部Ｂ側の端部
３１１ｄ  側縁部
３１１ｅ  背側部Ｂ側の角部
３１２  サイド吸収体
３１３  背側切欠部
３１４  腹側切欠部
３２  表面シート
３３  裏面シート
３４  側方カフス
３５  立体ギャザー形成用弾性部材
４  弾性部材
４１  ウエスト弾性部材
４２  胴回り弾性部材
４３  レッグ弾性部材
５  サイドシール部
Ａ  腹側部，Ｂ  背側部，Ｃ  股下部
ＣＬ  おむつの縦方向に延びる中心線
【図１】
0005492718.tif 000002
【図２】
0005492718.tif 000003
【図３】
0005492718.tif 000004
【図４】
0005492718.tif 000005